(57)【要約】【課題】携帯端末装置にストリーミング方式で動画コンテンツを配信する場合に、確度の高い視聴率を得ることができる動画コンテンツ視聴率集計システム及び動画コンテンツ視聴率集計方法を提供する。【解決手段】携帯端末装置１において、ユーザが動画コンテンツを視聴する操作を行うと、動画コンテンツ視聴用のアプリケーションが起動し、目的とする動画コンテンツがあるコンテンツサーバ装置２に対して動画コンテンツの配信を要求し、コンテンツサーバ装置２がこの配信要求を受けると、携帯端末装置１に対して動画コンテンツの配信を開始し、さらに動画コンテンツの配信を開始した時間を記録すると共に配信経過時間を記録して動画コンテンツの配信終了には視聴完成率（視聴完成度）を求める。この処理を当日の２４時に達するまで繰り返し行い、２４時を経過した時点で時間視聴率を集計して視聴率集約サーバ装置３に送信する。【選択図】図６
2008199373.tif 000002
【特許請求の範囲】
【請求項１】
動画コンテンツ視聴用のアプリケーションを起動させるアプリ制御手段及び前記動画コンテンツを表示する表示手段を有する携帯端末装置と、前記携帯端末装置に対する前記動画コンテンツの視聴状況に応じた視聴率を集計する視聴率集計手段を有するコンテンツサーバ装置と、を具備することを特徴とする動画コンテンツ視聴率集計システム。
【請求項２】
前記視聴率集計手段は、前記携帯端末装置に対して前記動画コンテンツの配信を開始した時間及び前記動画コンテンツの配信完成度を視聴率として集計することを特徴とする請求項１記載の動画コンテンツ視聴率集計システム。
【請求項３】
携帯端末装置において、動画コンテンツ視聴用のアプリケーションを起動させる工程と、コンテンツサーバ装置において、前記携帯端末装置に対する前記動画コンテンツの視聴状況に応じた視聴率を集計する工程と、を具備することを特徴とする動画コンテンツ視聴率集計方法。
【請求項４】
前記携帯端末装置に対して前記動画コンテンツの配信を開始した時間及び前記動画コンテンツの配信完成度を視聴率として集計することを特徴とする請求項３記載の動画コンテンツ視聴率集計方法。
【発明の詳細な説明】
【技術分野】
【０００１】
本発明は、動画コンテンツを再生可能な携帯電話などの携帯端末装置に対し、ストリーミング方式を用いて動画コンテンツを配信した際の視聴率を集計する動画コンテンツ視聴率集計システム及び動画コンテンツ視聴率集計方法に関する。
【背景技術】
【０００２】
従来、テレビジョン放送受信機能を有する携帯端末装置による視聴率情報を収集し、それを視聴率情報要求者に提供する提案がある。特許文献１には、テレビジョン放送受信機能を有する携帯端末装置が、当該端末装置の使用者が視聴したテレビション放送番組を特定するための視聴情報を、移動通信網、インターネットを介して視聴情報収集サーバに送信し、視聴情報収集サーバが視聴情報から視聴率のデータを算出して視聴率情報要求者に提供する技術が開示されている。
【０００３】
一方、動画コンテンツを再生可能な携帯端末装置においては、動画コンテンツのダウンロード数から視聴率情報の収集が行われている。
【特許文献１】特開２００６−６０５４７号公報
【発明の開示】
【発明が解決しようとする課題】
【０００４】
ところで、動画コンテンツの配信においてもテレビジョン放送と同様に広告（ＣＭ）の挿入が行われているが、携帯端末装置の場合はダウンロード数でしか視聴率を見ることができないため、広告を効果的に流すことが難しい。すなわち、ダウンロード方式では、ユーザが都合の良いときにダウンロードし、都合の良いときに再生できることから、例えば昼の時間帯向けの広告を挿入しても、夜の時間帯に再生が行われた場合にはユーザの意識を広告に向けることは難しい。
【０００５】
動画コンテンツの配信にはダウンロード方式の他にストリーミング方式があるが、このストリーミング方式は、コンテンツサーバ装置にアクセスした時点からコンテンツの再生を開始する方式であるので、アクセス数を元にした視聴率の集計には正確さが欠ける。つまり、確度の高い視聴率を得ることができない。また、ダウンロード方式と同様に、昼の時間帯向けの広告を挿入しても、再生開始が夜の時間帯であれば、ユーザの意識を広告に向けることは難しい。
【０００６】
ストリーミング方式は、コンテンツサーバ装置にアクセスした時点から再生が開始することから、動画コンテンツの種類に応じて挿入する広告の種類を決定することで、ある程度の宣伝効果を得ることが可能である。例えば、昼向けの動画コンテンツには昼向けの広告を挿入し、夜向けの動画コンテンツには夜向けの広告を挿入する。しかしながら、予め動画コンテンツの種類に応じて挿入する広告の種類を決めておいても、実際にどの時間帯で最も多く視聴されるかは分からず、例えば朝向けにしたにも関わらず、夜の時間帯で多く視聴されることもあり得る。また、視聴率が高い時間帯があっても、実際に視聴された時間（例えば６０分の動画コンテンツのうち１０分だけ見られた）が短い場合もあり、広告を見てもらえないこともある。なお、本発明では、「実際に視聴された時間」を「配信完成度」と呼んでいる。
【０００７】
本発明はかかる点に鑑みてなされたものであり、携帯端末装置にストリーミング方式で動画コンテンツを配信する場合に、確度の高い視聴率を得ることができる動画コンテンツ視聴率集計システム及び動画コンテンツ視聴率集計方法を提供することを目的とする。
【課題を解決するための手段】
【０００８】
本発明の動画コンテンツ視聴率集計システムは、動画コンテンツ視聴用のアプリケーションを起動させるアプリ制御手段及び前記動画コンテンツを表示する表示手段を有する携帯端末装置と、前記携帯端末装置に対する前記動画コンテンツの視聴状況に応じた視聴率を集計する視聴率集計手段を有するコンテンツサーバ装置と、を具備することを特徴とする。
【０００９】
この構成によれば、コンテンツサーバ装置が、携帯端末装置における動画コンテンツの視聴状況に応じた視聴率を集計するので、携帯端末装置にストリーミング方式で動画コンテンツを配信する場合に、確度の高い視聴率を得ることができる。これにより、動画コンテンツ毎に広告を挿入できる最適な時間を決定することが可能となり、宣伝効果向上が図れる。
【００１０】
本発明の動画コンテンツ視聴率集計システムにおいては、前記視聴率集計手段は、前記携帯端末装置に対して前記動画コンテンツの配信を開始した時間及び前記動画コンテンツの配信完成度を視聴率として集計することが好ましい。この構成によれば、視聴率を、動画コンテンツの配信を開始した時間及び動画コンテンツの配信完成度（即ち、携帯端末装置側から見ると、動画コンテンツを見始めた時間と見た時間）として集計するので、広告を挿入する最適な時間を決定することができる。
【００１１】
本発明の動画コンテンツ視聴率集計方法は、携帯端末装置において、動画コンテンツ視聴用のアプリケーションを起動させる工程と、コンテンツサーバ装置において、前記携帯端末装置に対する前記動画コンテンツの視聴状況に応じた視聴率を集計する工程と、を具備することを特徴とする。
【００１２】
この方法によれば、コンテンツサーバ装置にて、携帯端末装置における動画コンテンツの視聴状況に応じた視聴率を集計するので、携帯端末装置にストリーミング方式で動画コンテンツを配信する場合に、確度の高い視聴率を得ることができる。これにより、動画コンテンツ毎に広告を挿入できる最適な時間を決定することが可能となり、宣伝効果向上が図れる。
【００１３】
本発明の動画コンテンツ視聴率集計方法においては、前記携帯端末装置に対して前記動画コンテンツの配信を開始した時間及び前記動画コンテンツの配信完成度を視聴率として集計することが好ましい。この方法によれば、視聴率を、動画コンテンツの配信を開始した時間及び動画コンテンツの配信完成度（即ち、携帯端末装置側から見ると、動画コンテンツを見始めた時間と見た時間）として集計するので、広告を挿入する最適な時間を決定することができる。
【発明の効果】
【００１４】
本発明による動画コンテンツ視聴率集計システム及び動画コンテンツ視聴率集計方法は、コンテンツサーバ装置が、携帯端末装置における動画コンテンツの視聴状況（動画コンテンツの配信を開始した時間及び動画コンテンツの配信完成度）に応じた視聴率を集計するので、携帯端末装置にストリーミング方式で動画コンテンツを配信する場合に、確度の高い視聴率を得ることができる。これにより、動画コンテンツ毎に広告を挿入できる最適な時間を決定することが可能となり、宣伝効果向上が図れる。
【発明を実施するための最良の形態】
【００１５】
以下、本発明の実施の形態について、添付図面を参照して詳細に説明する。
図１は、本発明の一実施の形態に係る動画コンテンツ視聴率集計システムを説明するための概略構成を示すブロック図である。図１に示すシステム１０は、動画コンテンツ再生機能を有する携帯電話等の携帯端末装置１と、携帯端末装置１に動画コンテンツの配信サービス行うと共に、携帯端末装置１に対する動画コンテンツの視聴率を集計する機能を有するコンテンツサーバ装置２と、複数のコンテンツサーバ装置２夫々が集計した視聴率を集約する視聴率集約サーバ装置３と、コンテンツサーバ装置２に広告を提供する広告主の通信装置４と、コンテンツサーバ装置２、視聴率集約サーバ装置３及び広告主の通信装置４を接続するゲートウェイ５と携帯端末装置１に対して通信サービスを行う移動通信網６とを接続する移動通信センタ７とをから主に構成されている。
【００１６】
携帯端末装置１は、オペレーティングシステム（移動機ＯＳ）を有しており、移動機ＯＳ上でブラウザ機能、ビューワ機能、ＪＡＭ（Java（登録商標） Application Manager）その他の機能が動作する。
【００１７】
図２は、携帯端末装置１の概略構成を示すブロック図である。なお、図２に示す構成は、本発明を説明するために簡略化したものであり、通常の携帯端末装置に搭載される構成要素は備えているものとする。図２に示すように、携帯端末装置１は、装置全体を制御する制御部１１と、移動通信センタ７を介してコンテンツサーバ装置２との間で通信を行う通信制御部１２と、コンテンツサーバ装置２から配信される動画コンテンツを表示するための表示部１３と、携帯端末装置１に搭載され、あるいはダウンロードされた種々のアプリケーションを起動するためのアプリ制御部１４とから主に構成されている。アプリ制御部１４は、制御部１１の指示に応じてアプリケーション言語（例えばＪａｖａ（登録商標）言語）で作成された種々のアプリケーションを実行する。アプリ制御部１４は、ユーザが動画コンテンツを視聴する操作を行った場合に、動画コンテンツ視聴用のアプリケーションを実行し、コンテンツサーバ装置２から動画コンテンツの配信を受ける。
【００１８】
図３は、図１に示すコンテンツサーバ装置２の概略構成を示すブロック図である。図３に示すように、コンテンツサーバ装置２は、装置全体を制御する制御部２１と、移動通信センタ７を介して携帯端末装置１との間で通信を行う通信制御部２２と、動画コンテンツを管理するコンテンツデータベース２３と、携帯端末装置１にて動画コンテンツを視聴した時間視聴率を集計する時間視聴率集計部２４と、装置に搭載され、あるいはダウンロードされた種々のアプリケーションを実行するアプリ制御部２５とから主に構成されている。時間視聴率集計部２４で集計される時間視聴率は、視聴完成率（配信完成度）と視聴率を組み合わせたものである。視聴完成率は、動画コンテンツを最後まで見た場合を１００％として実際に見た割合である。
【００１９】
ここで、図４及び図５を参照して、時間視聴率について詳しく説明する。図５は通常の視聴率を示す図である。通常の視聴率では、瞬間、瞬間の見られている比率を把握することができる。この図に示す例では２０時頃が最も視聴率が高くなっているのが分かる。図４は時間視聴率集計部２４で求められる時間視聴率を示す図である。時間視聴率では、視聴完成率毎の視聴率を把握することができる。例えばＰＬ１０は視聴完成率１０％の人の視聴率であり、ＰＬ３０は視聴完成率３０％の人の視聴率である。また、ＰＬ１０−Ｔ６は視聴率１０％の人が見始めた時間の視聴率であり、ＰＬ３０−Ｔ１８は視聴率３０％の人が見始めた時間の視聴率である。
【００２０】
このように、動画コンテンツの配信をストリーミング方式で行う場合に、動画コンテンツを見始めた時間と見た時間を時間視聴率として集計することで、携帯端末における動画コンテンツについての確度の高い視聴率を得ることができる。これにより、動画コンテンツ毎に広告を挿入できる最適な時間を決定することが可能となり、宣伝効果向上が図れる。
【００２１】
アプリ制御部２５は、装置に搭載され、あるいはダウンロードされた動画コンテンツ視聴率集計アプリケーションを起動させる。このコンテンツサーバ装置２用の動画コンテンツ視聴率集計アプリケーションは、携帯端末装置１から動画コンテンツ配信要求が送信されてきた場合に、携帯端末装置１における動画コンテンツ視聴用のアプリケーションの起動に伴ってコンテンツデータベース２３で管理されている動画コンテンツの配信を行うとともに、時間視聴率集計部２４に動画コンテンツの視聴率を集計させるアプリケーションである。
【００２２】
次に、本発明の実施の形態に係る動画コンテンツ視聴率集計方法について図６を用いて説明する。本発明の動画コンテンツ視聴率集計方法においては、携帯端末装置において、動画コンテンツ視聴用のアプリケーションを起動させ、コンテンツサーバ装置において、前記携帯端末装置に対する前記動画コンテンツの視聴状況に応じた視聴率を集計する。
【００２３】
本発明の動画コンテンツ視聴率集計方法においては、携帯端末装置１において、ユーザが動画コンテンツを要求する操作を行うと、通信制御部１２は動画コンテンツの配信を要求する信号を生成し、目的とする動画コンテンツを有するコンテンツサーバ装置２に送信する（ＳＴ１）。この場合、動画コンテンツの配信を要求する信号は、移動通信網６、移動通信センタ７、ゲートウェイ５を介してコンテンツサーバ装置２に至る。
【００２４】
コンテンツサーバ装置２において、通信制御部２２が携帯端末装置１から動画コンテンツの配信を要求する信号を受信すると、制御部２１はコンテンツデータベース２３から動画コンテンツを読み出し、通信制御部２２を介して携帯端末装置１に配信する（ＳＴ２）。また、時間視聴率集計部２４が動画コンテンツの配信と同時に配信を開始した時間を記録すると共に配信経過時間を記録する。さらに、携帯端末装置１に対する動画コンテンツの全てを配信し終えると、視聴完成率１００％として動画コンテンツの配信を開始した時間とともに当日の２４時まで保存する。一方、動画コンテンツの全てを配信し終えず、途中で止めた場合（携帯端末装置１のユーザが途中で視聴するのを止めた場合）は、視聴完成率１００％に対する視聴完成率（例えば、１０％）を算出して、動画コンテンツの配信を開始した時間とともに当日の２４時まで保存する。
【００２５】
時間視聴率集計部２４は、１つの動画コンテンツに対して配信要求がある毎に動画コンテンツの配信を開始した時間と視聴完成率を保存する。例えば１００台の携帯端末装置１から動画コンテンツの配信要求があれば、各携帯端末装置１に対して動画コンテンツの配信を開始した時間と視聴完成率を保存する。そして、当日の２４時を経過すると、時間視聴率を集計する（ＳＴ３）。この処理が行われることで、図４に示すような時間視聴率のグラフが得られる。コンテンツサーバ装置２の通信制御部２２は、時間視聴率集計部２４で得られた時間視聴率の情報を視聴率集約サーバ装置３に送信する（ＳＴ４）。他のコンテンツサーバ装置２でも同様の処理が行われて、時間視聴率の情報が視聴率集約サーバ装置３に送られる。
【００２６】
視聴率集約サーバ装置３は、各コンテンツサーバ装置２から送られてきた時間視聴率のグラフを集約して広告主４に送信する（ＳＴ５、ＳＴ６）。広告主４は、視聴率集約サーバ装置３から送られてきた各動画コンテンツに対する時間視聴率の情報を元に各動画コンテンツに対して広告を挿入する時間帯を決定する。なお、言うまでもないが、動画コンテンツが１つしかない場合にはその動画コンテンツに対して広告を挿入する最適な時間帯を決定する。
【００２７】
このように、本実施の形態に係る動画コンテンツ視聴率集計システム１０では、携帯端末装置１において、ユーザが動画コンテンツを視聴する操作を行うと、動画コンテンツ視聴用のアプリケーションが起動し、目的とする動画コンテンツがあるコンテンツサーバ装置２に対して動画コンテンツの配信を要求し、コンテンツサーバ装置２がこの配信要求を受けると、携帯端末装置１に対して動画コンテンツの配信を開始し、さらに動画コンテンツの配信を開始した時間を記録すると共に配信経過時間を記録して動画コンテンツの配信終了には視聴完成率（視聴完成度）を求め、この処理を当日の２４時に達するまで繰り返し行い、２４時を経過した時点で時間視聴率を集計して視聴率集約サーバ装置３に送信する。したがって、ストリーミング方式で動画コンテンツを配信する場合に、確度の高い視聴率を得ることができる。これにより、動画コンテンツ毎に広告を挿入できる最適な時間を決定することが可能となり、宣伝効果向上が図れる。
【００２８】
なお、本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００２９】
本発明は、ストリーミング方式で動画コンテンツを配信する動画コンテンツ配信システムに適用可能である。
【図面の簡単な説明】
【００３０】
【図１】本発明の一実施の形態に係る動画コンテンツ視聴率集計システムの概略構成を示す図である。
【図２】図１に示すシステムにおける携帯端末装置の概略構成を示すブロック図である。
【図３】図１に示すシステムにおけるコンテンツサーバ装置の概略構成を示すブロック図である。
【図４】図１に示すシステムにおけるコンテンツサーバ装置で集計される時間視聴率の一例を示す図である。
【図５】従来から存在する通常の視聴率を示す図である。
【図６】本発明の実施の形態に係る動画コンテンツ視聴率集計方法を説明するためのシーケンス図である。
【符号の説明】
【００３１】
１  携帯端末装置
２  コンテンツサーバ装置
３  視聴率集約サーバ装置
４  広告主の通信装置
５  ゲートウェイ
６  移動通信網
７  移動通信センタ
１１，２１  制御部
１２，２２  通信制御部
１３  表示部
１４，２５  アプリ制御部
２３  コンテンツデータベース
２４  時間視聴率集計部
【図１】
2008199373.tif 000003
【図２】
2008199373.tif 000004
【図３】
2008199373.tif 000005
【図４】
2008199373.tif 000006
【図５】
2008199373.tif 000007
【図６】
2008199373.tif 000008